(57)【要約】【課題】第一の洗濯槽と第二の洗濯槽を備えた衣類処理装置において、第一の洗濯槽と第二の洗濯槽での温水による洗濯が可能となり、洗濯性能を向上することができる衣類処理装置を提供すること。【解決手段】第一の洗濯槽１１２と、第二の洗濯槽１５２と、第一の洗濯槽１１２内の洗浄水を加熱する第一のヒータ１１４と、第二の洗濯槽１５２内の洗浄水を加熱する第二のヒータ１５４とを備えたものであり、繊維素材や色彩毎にそれぞれ衣類を分別し二つの洗濯槽１１２、１５２に分けて収容して洗濯を行う際に、第一の洗濯槽１１２と、第二の洗濯槽１５２で、温水での洗濯が可能であり、しかも同時に洗濯することが可能であることから、洗濯性能を向上させることができる。【選択図】図２
2017121397.tif 000002
【特許請求の範囲】
【請求項１】
第一の洗濯槽と、第二の洗濯槽と、前記第一の洗濯槽内の洗浄水を加熱する第一の温水ヒータと、前記第二の洗濯槽内の洗浄水を加熱する第二の温水ヒータとを備えた衣類処理装置。
【請求項２】
前記第一の温水ヒータと前記第二の温水ヒータを同時に通電しないように制御した請求項１記載の衣類処理装置。
【請求項３】
第一の洗濯槽と、第二の洗濯槽と、温水を生成する温水槽と、前記温水槽から温水を送出するポンプとを備え、前記温水槽から前記第一の洗濯槽と前記第二の洗濯槽に温水を供給する衣類処理装置。
【発明の詳細な説明】
【技術分野】
【０００１】
本発明は、衣類を洗濯、脱水及び／又は乾燥するための衣類処理装置に関する。
【背景技術】
【０００２】
第一の洗濯槽と第二の洗濯槽を配備している衣類処理装置が開発されている（例えば、特許文献１参照）。特許文献１には、第一の洗濯槽と第二の洗濯槽を配備しているドラム式洗濯機の一例が記載されている。
【先行技術文献】
【特許文献】
【０００３】
【特許文献１】中国実用新案第２０３７４１５９７号明細書
【発明の概要】
【発明が解決しようとする課題】
【０００４】
昨今では多種多様な繊維素材を用いた衣類や色彩鮮やかな模様の施された衣類などが市場に多く提供されている。それら衣類などを洗濯する場合には、繊維素材や色彩毎にそれぞれ分別し洗濯を行うために、特許文献１に記載のような第一の洗濯槽と第二の洗濯槽を備えた衣類処理装置が提供されている。しかし、第一の洗濯槽と第二の洗濯槽内の洗浄水を加熱あるいは加熱された温水を供給して洗濯能力を向上させようという衣類処理装置は提供されていない。
【０００５】
さらに、上記のような従来の第一の洗濯槽と第二の洗濯槽を配備している衣類処理装置では、両洗濯槽で温水を利用した洗濯を行うとすると、第一の洗濯槽と第二の洗濯槽での温水での洗浄と洗浄水の加熱のための過大な電力供給のためにブレーカーダウンが発生するという課題があり、その対策も必要となってくる。
【０００６】
本発明は、上記従来の課題を解決するもので、第一の洗濯槽と第二の洗濯槽での温水による洗濯が可能となり、洗濯性能を向上することができる衣類処理装置を提供することを目的とする。
【課題を解決するための手段】
【０００７】
前記従来の課題を解決するために本発明の衣類処理装置は、第一の洗濯槽と、第二の洗濯槽と、前記第一の洗濯槽内の洗浄水を加熱する第一の温水ヒータと、前記第二の洗濯槽内の洗浄水を加熱する第二の温水ヒータとを備えたものである。これにより、繊維素材や色彩毎にそれぞれ衣類を分別し二つの洗濯槽に分けて収容して洗濯を行う際に、第一の洗濯槽と、第二の洗濯槽で、温水での洗濯が可能であり、しかも同時に温水で洗濯することが可能であることから、洗濯性能を向上させることができる。
【発明の効果】
【０００８】
本発明に係る衣類処理装置は、第一の洗濯槽の洗浄水を加熱する第一の温水ヒータと第二の洗濯槽の洗浄水を加熱する第二の温水ヒータにより温水での洗浄が可能となり、洗濯性能を向上させることができる。
【図面の簡単な説明】
【０００９】
【図１】本発明の実施の形態１における衣類処理装置の斜視図
【図２】同衣類処理装置の正面図
【図３】本発明の実施の形態２における衣類処理装置の温水ヒータのＯＮ／ＯＦＦの関係を概略的に表すグラフ
【図４】本発明の実施の形態３における衣類処理装置の、一部を縦断面で表した概略的な正面図
【発明を実施するための形態】
【００１０】
第１の発明は、第一の洗濯槽と、第二の洗濯槽と、前記第一の洗濯槽内の洗浄水を加熱する第一の温水ヒータと、前記第二の洗濯槽内の洗浄水を加熱する第二の温水ヒータとを備えたことにより、第一の洗濯槽と第二の洗濯槽で温水での洗濯が可能となり、しかも同時に温水で洗濯することが可能となることから、洗濯性能を向上することができる。
【００１１】
第２の発明は、上記第１の発明において、前記第一の温水ヒータと前記第二の温水ヒータを同時に通電しないように制御したことにより、温水ヒータへの過大な電力供給のために発生するブレーカーダウンを抑制することができることから、使用環境を向上することができる。
【００１２】
第３の発明は、第一の洗濯槽と、第二の洗濯槽と、温水を生成する温水槽と、前記温水槽から温水を送出するポンプとを備え、前記温水槽から前記第一の洗濯槽と前記第二の洗濯槽に温水を供給する構成とすることにより、第一の洗濯槽と第二の洗濯槽への温水の供給を１つ温水ヒータで構成することができるので、両洗濯槽で同時に温水で洗濯することが可能となるとともに、温水ヒータへの過大な電力供給のために発生するブレーカーダウンを抑制することができることから、使用環境を向上することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における衣類処理装置の斜視図、図２は同衣類処理装置の正面図を示すものである。
【００１５】
図１〜図２に示すように、衣類処理装置１００の本体筐体１１０の上部には略水平方向の回転軸を中心に回転自在な前方に開口部を有する有底円筒状の第一の回転ドラム１１１が内部に配設された揺動自在な第一の洗濯槽１１２が配備され、第一の回転ドラム１１１は第一の洗濯槽１１２の背面に外側より取り付けられた第一のモータ１１３（図示せず）により回転駆動される。第一の洗濯槽１１２も有底円筒状に形成され、その正面側の開口部を閉鎖する開閉可能な扉体（図示せず）が前面に配備される。この扉体を開くことにより第一の回転ドラム１１１内に洗濯物を出し入れできるようにしている。第一の洗濯槽１１２は本体筐体１１０よりばね体とダンパー（いずれも図示せず）により揺動可能に吊り下げて防振支持されている。
【００１６】
本体筐体１１０の下部には略水平方向の回転軸を中心に回転自在な前方に開口部を有する有底円筒状の第二の回転ドラム１５１が内部に配設された揺動自在な第二の洗濯槽１５２が配備され、第二の回転ドラム１５１は第二の洗濯槽１５２の背面に外側より取り付けられた第二のモータ１５３（図示せず）により回転駆動される。第二の洗濯槽１５２も有底円筒状に形成され、その正面側の開口部を閉鎖する開閉可能な扉体（図示せず）が前面に配備される。この扉体を開くことにより第二の回転ドラム１５１内に洗濯物を出し入れできるようにしている。第二の洗濯槽１５２も本体筐体１１０よりばね体とダンパー（いずれも図示せず）により揺動可能に吊り下げて防振支持されている。
【００１７】
第二の洗濯槽１５２の上方に配設した第一の洗濯槽１１２は、内部の容積（洗濯容量）を第二の洗濯槽１５２の内部の容積（洗濯容量）より小さくし、有底円筒状の中心を本体
筐体１１０の左右方向中心より左右いずれか（本実施の形態では正面から見て右側）にずらせてある。洗濯容量の大きい方の第二の洗濯槽１５２の有底円筒状の中心は、本体筐体１１０の左右方向中心とほぼ一致させてある。
【００１８】
なお、本実施の形態では、第一の回転ドラム１１１および第二の回転ドラム１５１の回転軸心方向を略水平方向に配設しているが、回転軸心方向を正面側から背面側に向けて下向きに傾斜させて配設してもよい。
【００１９】
また、衣類処理装置１００の上部に配備された第一の洗濯槽１１２の下部には、第一のヒータ１１４（第一の温水ヒータ）が挿入、配設されている。第一のヒータ１１４は、第一の洗濯槽１１２内に供給された水を加熱するために用いられる。衣類処理装置１００の下部に配備された第二の洗濯槽１５２の下部には、第二のヒータ１５４（第二の温水ヒータ）が挿入、配設されている。第二のヒータ１５４は、第二の洗濯槽１５２内に供給された水を加熱するために用いられる。
【００２０】
なお、本実施の形態では、第一のヒータ１１４および第二のヒータ１５４は、ヒータ本体はそれぞれの洗濯槽１１２、１５２内に設置し浸漬した水を直接加熱するようにし、ヒータ本体支持部や給電部はそれぞれの洗濯槽１１２、１５２外壁に固着しているが、加熱効率は劣るがヒータ本体もそれぞれの洗濯槽１１２、１５２外に設置し洗濯槽内の水を間接的に加熱するよう構成してもよい。
【００２１】
第一の洗濯槽１１２、第二の洗濯槽１５２には、それぞれ洗濯槽内部に水道水を給水する給水手段、洗濯槽内の水を機外に排水する排水手段、および洗濯槽内の水位を検知する水位検知手段が連通させて設けてあるが、一般的な洗濯機と同様の構成のものであるので、説明は省略し、図示も省略する。
【００２２】
本実施の形態の衣類処理装置は、洗い行程、すすぎ行程、脱水行程、乾燥行程を逐次制御する制御手段（図示せず）を備え、上記各行程を行う機能を有したドラム式洗濯乾燥機を構成している。しかし、乾燥行程を行うための乾燥系は省略することができる。
【００２３】
前記制御手段は、第一の洗濯槽１１２の第一の操作パネル１１５および第二の洗濯槽１５２の第二の操作パネル１５５からの設定入力情報をもとに、第一のモータ１１３、第二のモータ１５３、第一のヒータ１１４、第二のヒータ１５４、前記給水手段、前記排水手段などの動作を制御し、洗い、すすぎ、脱水、乾燥等の運転を行う。また、制御手段は、使用者によって選択・入力された運転コースや運転条件等の設定入力情報や運転進行状況等の各種表示情報の各操作パネル１１５、１５５への出力も行っている。
【００２４】
以上のように構成された衣類処理装置について、以下その動作、作用を説明する。
【００２５】
第一の洗濯槽１１２と第二の洗濯槽１５２の各扉体を開け、前方に設けた開口部（洗濯物投入口）から繊維素材や色彩毎にそれぞれ分別した衣類等の洗濯物を各々第一の回転ドラム１１１、第二の回転ドラム１５１に投入し、扉体を閉めた後、第一の洗濯槽１１２と第二の洗濯槽１５２のそれぞれの操作パネル１１５、１５５により各洗濯槽の行程内容を設定し、各々運転を開始する。
【００２６】
制御手段は、各回転ドラム１１１、１５１内の洗濯物の量に応じて最適な水位を設定し、給水手段を制御して、各回転ドラム１１１、１５１内およびそれぞれの洗濯槽１１２、１５２内に給水を行う。そして、水位検知手段によって水位を検知し、設定された水位に達したら、給水を終了し、各モータ１１３、１５３を制御し、各回転ドラム１１１、１５１を回転させ、各洗濯槽１１２、１５２で設定された洗い行程を行う。
【００２７】
この際、洗い工程が開始され、第一の洗濯槽１１２、第二の洗濯槽１５２内に水が供給される間、第一の洗濯槽１１２、第二の洗濯槽１５２内の水温は、略一定である。その後、第一のヒータ１１４、第二のヒータ１５４を用いて、各洗濯槽１１２、１５２内の水が加熱される。第一のヒータ１１４、第二のヒータ１５４は、大きな熱量を発するので、各洗濯槽１１２、１５２内の水温は急速に上昇する。その後、所定の温度に到達すると、各洗濯槽１１２、１５２内の水の加熱は停止され、第一の回転ドラム１１１、第二の回転ドラム１５１を低速で回転もしくは正転逆転を繰り返して洗濯物の洗いを行う。
【００２８】
なお、各ヒータ１１４、１５４による水の加熱開始と各回転ドラム１１１、１５１の回転開始のタイミングは、いずれが先であってもよいし、同時並行に行われてもよい。また、洗剤は当然投入され、各洗濯槽１１２、１５２内に供給された水に溶解されている。
【００２９】
各洗い行程終了後、排水手段を制御して各洗濯槽１１２、１５２から洗浄水を排水し、脱水した後、再び給水手段を制御して、各回転ドラム１１１、１５１内および各洗濯槽１１２、１５２内に給水を行う。そして、水位検知手段によって水位を検知し、設定された水位に達したら、給水を終了し、各モータ１１３、１５３を制御し、各回転ドラム１１１、１５１を回転させ、各洗濯槽１１２、１５２で設定されたすすぎ行程を行う。すすぎ行程終了後、排水手段を制御して各洗濯槽１１２、１５２からすすぎ後の水を排水し、各最終脱水を行って運転を終了する。
【００３０】
制御手段は、二つの洗濯槽１１２、１５２を各々別のコースで運転（洗い、すすぎ、脱水、乾燥）することを可能にし、繊維素材や色彩毎に分別した洗濯物をそれぞれに適した洗濯コースや洗濯条件で同時に運転することができ、時間の有効活用ができるよう構成してある。なお、第一の洗濯槽１１２と第二の洗濯槽１５２は、いずれか一方のみを運転することももちろん可能である。
【００３１】
上記のように、本実施の形態の衣類処理装置は、衣類処理装置１００の上部に配備された第一の洗濯槽１１２内に供給された水を加熱する第一のヒータ１１４と、衣類処理装置１００の下部に配備された第二の洗濯槽１５２内に供給された水を加熱する第二のヒータ１５４がそれぞ配置されたことにより、繊維素材や色彩毎にそれぞれ衣類を分別し二つの洗濯槽に分けて収容して洗濯を行う際に、第一の洗濯槽１１２と、第二の洗濯槽１５２で、温水での洗濯が可能であり、しかも同時に洗濯することが可能であることから、洗濯性能を向上することができる。
【００３２】
また、それぞれの洗濯槽１１２、１５２に収容された洗濯物の繊維素材に応じた水温に別々に設定できるので、洗濯物を傷めることなく適切な洗いを行うことができる。
【００３３】
また、使用する洗剤の種類、柔軟剤、漂白剤等に応じた適切な水温を二つの洗濯槽１１２、１５２で別々に設定できるので、洗濯物に応じたより極め細やかな洗濯が可能となる。
【００３４】
（実施の形態２）
本発明の実施の形態２における衣類処理装置は、上記実施の形態１における衣類処理装置の洗い行程における二つの温水ヒータの動作のさせ方にさらなる特徴を備えたものである。他の構成は上記実施の形態１と同じであり、詳細な説明は省略する。
【００３５】
図３は、本発明の実施の形態２における衣類処理装置の第一のヒータ１１４と第二のヒータ１５４のＯＮ／ＯＦＦの関係を概略的に表すグラフである。
【００３６】
実施の形態２では、図３に示される如く、第一のヒータ１１４が作動している期間（ＯＮ期間）は、第二のヒータ１５４は停止している期間（ＯＦＦ期間）となり、第二のヒータ１５４が作動している期間（ＯＮ期間）は、第一のヒータ１１４は停止している期間（ＯＦＦ期間）となるように制御される。制御手段が二つのヒータ１１４、１５４に対して行うこの制御動作について、以下に詳しく説明する。
【００３７】
図３において、各洗濯槽１１２、１５２内への給水が終了すると、まず、第一の洗濯槽１１２側の第一のヒータ１１４にのみ通電（ＯＮ）され、第一の洗濯槽１１２内の洗浄水が加熱される。第一の洗濯槽１１２内の洗浄水の温度が設定温度に達すると、第一のヒータ１１４への通電は遮断（ＯＦＦ）され、第一の洗濯槽１１２内の洗浄水の加熱は一旦終了する。
【００３８】
第一のヒータ１１４への通電が遮断（ＯＦＦ）された後、今度は第二の洗濯槽１５２側の第二のヒータ１５４にのみ通電（ＯＮ）され、第二の洗濯槽１５２内の洗浄水が加熱される。第二の洗濯槽１５２内の洗浄水の温度が設定温度（第一の洗濯槽１１２内の洗浄水の設定温度とは異なる温度であってもよい）に達すると、第二のヒータ１５４への通電は遮断（ＯＦＦ）され、第二の洗濯槽１５２内の洗浄水の加熱は一旦終了する。
【００３９】
この間、制御手段は第一の洗濯槽１１２内の洗浄水の温度が所定の範囲内に収まるように、第一のヒータ１１４の通電（ＯＮ／ＯＦＦ）を制御するが、第二のヒータ１５４に通電（ＯＮ）されている期間においては、第一の洗濯槽１１２内の洗浄水の温度が所定の範囲以下に低下するおそれがあるとしても、第一のヒータ１１４の通電（ＯＮ）は行わない。
【００４０】
次に、第二のヒータ１５４への通電が遮断（ＯＦＦ）された後、第一の洗濯槽１１２内の洗浄水の温度が所定の範囲の下限に達すると、制御手段は再び、第一の洗濯槽１１２側の第一のヒータ１１４にのみ通電（ＯＮ）し、第一の洗濯槽１１２内の洗浄水を加熱する。第一の洗濯槽１１２内の洗浄水の温度が設定温度に達すると、第一のヒータ１１４への通電は遮断（ＯＦＦ）され、第一の洗濯槽１１２内の洗浄水の加熱は一旦終了する。
【００４１】
この間、制御手段は第二の洗濯槽１５２内の洗浄水の温度が所定の範囲内に収まるように、第二のヒータ１５４の通電（ＯＮ／ＯＦＦ）を制御するが、第一のヒータ１１４に通電（ＯＮ）されている期間においては、第二の洗濯槽１５２内の洗浄水の温度が所定の範囲以下に低下するおそれがあるとしても、第二のヒータ１５４の通電（ＯＮ）は行わない。
【００４２】
制御手段は、このような動作を繰り返して、両洗濯槽１１２、１５２内の洗浄水の温度制御を行いながら、両洗濯槽１１２、１５２での洗いを行う。
【００４３】
以上のように、本発明の実施の形態２における衣類処理装置は、第一のヒータ１１４と、第二のヒータ１５４は同時に通電されることがなく、よって温水ヒータ（第一のヒータ１１４と第二のヒータ１５４）への過大な電力供給のために発生するブレーカーダウンを抑制することができることから、使用環境を向上することができる。
【００４４】
（実施の形態３）
本発明の実施の形態３における衣類処理装置は、二つの洗濯槽にそれぞれ温水ヒータを備えることなく、二つの洗濯槽に温水を供給可能に構成したものである。他の構成は上記実施の形態１と同じであり、詳細な説明は省略する。
【００４５】
図４は、本発明の実施の形態３における衣類処理装置の概略的な正面図を示すものであ
る。なお、理解を容易にするため、一部は断面図として表している。
【００４６】
図４に示すように、実施の形態３では、衣類処理装置１００の上部に配備された第一の洗濯槽１１２と、衣類処理装置１００の下部に配備された第二の洗濯槽１５２と、温水ヒータ１６３を有する温水槽１６０とポンプ１６１が配備され、温水槽１６０内で加熱生成された温水はポンプ１６１により送出され、配管１６２を経由し第一の洗濯槽１１２または第二の洗濯槽１５２に供給される。
【００４７】
このように構成することにより、繊維素材や色彩毎にそれぞれ衣類を分別し洗濯を行う際に、１つの温水ヒータ１６３を有する温水槽１６０で、第一の洗濯槽１１２と、第二の洗濯槽１５２に、温水が供給でき、温水での洗濯が可能であることから、洗濯性能を向上させることができるとともに、両洗濯槽１１２、１５２で同時に温水を使用した洗濯を行ったとしても、温水ヒータへの過大な電力供給のために発生するブレーカーダウンを抑制することができることから、使用環境を向上することができる。
【産業上の利用可能性】
【００４８】
以上のように、本発明にかかる衣類処理装置は、第一の洗濯槽と第二の洗濯槽を備えた衣類処理装置において、第一の洗濯槽と第二の洗濯槽の双方で温水での洗濯が可能となり、洗濯性能を向上することができる。さらには、洗浄水の加熱のための過大な電力供給のために発生するブレーカーダウンを抑制し、使用環境を向上する衣類処理装置を提供することが可能になるので、ドラム式洗濯乾燥機のみならず、二つの洗濯槽を備えた他の衣類処理装置の用途にも適用できる。
【符号の説明】
【００４９】
１００  衣類処理装置
１１０  本体筐体
１１１  第一の回転ドラム
１１２  第一の洗濯槽
１１３  第一のモータ（図示せず）
１１４  第一のヒータ（第一の温水ヒータ）
１１５  第一の操作パネル
１５１  第二の回転ドラム
１５２  第二の洗濯槽
１５３  第二のモータ（図示せず）
１５４  第二のヒータ（第二の温水ヒータ）
１５５  第二の操作パネル
１６０  温水槽
１６１  ポンプ
１６２  配管
１６３  温水ヒータ
【図１】
2017121397.tif 000003
【図２】
2017121397.tif 000004
【図３】
2017121397.tif 000005
【図４】
2017121397.tif 000006